(57)【要約】【課題】試験を実施している試験実施拠点での肉眼で把握すべき事象を確認し、異常状態が発生した場合にも対応可能な携帯電話のリモート試験システムを提供すること。【解決手段】試験制御拠点に配置される、指示情報を送信し試験結果情報を受信する指示装置及び受信側テレビ電話と、前記試験制御拠点から離隔した試験実施拠点に配置される、前記指示装置からの指示情報に基づいて携帯通信端末の試験を実行する携帯通信端末試験装置及び試験実施拠点テレビ電話と、からなるリモート試験システムを提供する。かかる構成により、試験途中における試験実施拠点の状況を映像を介して把握することができるため、肉眼で確認しなければわからない事象についても把握することができる。【選択図】            図２
2007104369.tif 000002
【特許請求の範囲】
【請求項１】
試験制御拠点に配置される、指示情報を送信し試験結果情報を受信する指示装置及び受信側テレビ電話と、
前記試験制御拠点から離隔した試験実施拠点に配置される、前記指示装置からの指示情報に基づいて携帯通信端末の試験を実行する携帯通信端末試験装置及び試験実施拠点テレビ電話と、
からなるリモート試験システムであって、
前記試験実施拠点テレビ電話は、
前記指示装置から送信される指示情報を受信し、受信した指示情報を前記携帯通信端末試験装置に転送する指示情報転送部と、
携帯通信端末試験装置が表示する試験経過情報を含む試験実施拠点映像を撮影するカメラ部と、
前記カメラ部にて撮影した試験実施拠点映像を受信側テレビ電話に対して送信する試験実施拠点映像送信部と、を有するリモート試験システム。
【請求項２】
前記指示装置は、
指示情報として試験を中断させるための情報である試験中断指示情報を送信する試験中断指示情報送信部を有し、
前記携帯通信端末試験装置は、
前記試験中断指示情報を受信する試験中断指示情報受信部と、
試験中断指示情報受信部にて受信した試験中断指示情報に基づいて試験を中断するための処理を実行する試験中断実行部と、
試験を中断するための処理を実行した後に、自身の状態をスタインバイ状態に遷移するスタンバイ状態遷移部と、
を有する請求項１に記載のリモート試験システム。
【請求項３】
前記指示装置は、
指示情報として試験実施拠点の位置情報を含む試験状況に関する情報である試験状況情報の要求指示をする試験状況情報要求指示情報を送信する試験状況情報要求指示情報送信部と、
前記試験状況情報を受信する試験状況情報受信部と、を有し、
前記携帯通信端末試験装置は、
前記試験状況情報要求指示情報を受信する試験状況情報要求指示情報受信部と、
試験状況情報を取得する試験状況情報取得部と、
前記受信した試験状況情報要求指示情報に基づいて取得した試験状況情報を送信する試験状況情報送信部と、
を有する請求項１又は２に記載のリモート試験システム。
【請求項４】
前記携帯通信端末試験装置は、
実行した試験の結果に関する情報である試験結果情報を保持する試験結果情報保持部と、
前記試験結果情報保持部にて保持される試験結果情報を指示装置に対して定期的に送信する試験結果情報送信部と、を有し、
前記試験実施拠点テレビ電話は、前記試験結果情報送信部から送信される試験結果情報を指示装置に対して転送する試験結果情報転送部を有する請求項1から３のいずれか一に記載のリモート試験システム。
【請求項５】
前記携帯通信端末試験装置は、
指示情報に基づいて自身の状態を試験実行状態に遷移する試験実行状態遷移部と、
実行する試験の異常を検知する異常検知部と、
前記異常検知部にて異常を検知した場合に、自身の状態を試験実行状態からスタイバイ状態に遷移する異常検知スタンバイ状態遷移部と、を有する請求項１から４のいずれか一に記載のリモート試験システム。
【請求項６】
請求項１から５のいずれか一に記載のリモート試験システムにて試験を実施することで、その機能を検証した携帯通信端末。
【請求項７】
試験制御拠点に配置される、指示情報を送信し試験結果情報を受信する指示装置及び受信側テレビ電話と、
前記試験制御拠点から離隔した試験実施拠点に配置される、前記指示装置からの指示情報に基づいて携帯通信端末の試験を実行する携帯通信端末試験装置及び試験実施拠点テレビ電話と、
からなるリモート試験方法であって、
前記試験実施拠点テレビ電話は、
前記指示装置から送信される指示情報を受信し、受信した指示情報を前記携帯通信端末試験装置に転送する指示情報転送ステップと、
携帯通信端末試験装置が表示する試験経過情報を含む試験実施拠点映像を撮影するステップと、
前記撮影した試験実施拠点映像を受信側テレビ電話に対して送信する試験実施拠点映像送信ステップと、を有するリモート試験方法。
【請求項８】
前記指示装置は、
指示情報として試験を中断させるための情報である試験中断指示情報を送信する試験中断指示情報送信ステップを有し、
前記携帯通信端末試験装置は、
前記試験中断指示情報を受信する試験中断指示情報受信ステップと、
試験中断指示情報受信ステップにて受信した試験中断指示情報に基づいて試験を中断するための処理を実行する試験中断実行ステップと、
を有する請求項７に記載のリモート試験方法。
【請求項９】
前記指示装置は、
指示情報として試験実施拠点の位置情報を含む試験状況に関する情報である試験状況情報の要求指示をする試験状況情報要求指示情報を送信する試験状況情報要求指示情報送信ステップと、
前記試験状況情報を受信する試験状況情報受信ステップと、を有し、
前記携帯通信端末試験装置は、
前記試験状況情報要求指示情報を受信する試験状況情報要求指示情報受信ステップと、
試験状況情報を取得する試験状況情報取得ステップと、
前記受信した試験状況情報要求指示情報に基づいて取得した試験状況情報を送信する試験状況情報送信ステップと、
を有する請求項７又は８に記載のリモート試験方法。
【請求項１０】
前記携帯通信端末試験装置は、
実行した試験の結果に関する情報である試験結果情報を指示装置に対して定期的に送信する試験結果情報送信ステップを有し、
前記試験実施拠点テレビ電話は、前記試験結果情報送信ステップにて送信される試験結果情報を指示装置に対して転送する試験結果情報転送ステップを有する請求項７から９のいずれか一に記載のリモート試験方法。
【請求項１１】
前記携帯通信端末試験装置は、
指示情報に基づいて自身の状態を試験実行状態に遷移する試験実行状態遷移ステップと、
実行する試験の異常を検知する異常検知ステップと、
前記異常検知ステップにて異常を検知した場合に、自身の状態を試験実行状態からスタイバイ状態に遷移する異常検知スタンバイ状態遷移ステップと、を有する請求項７から１０のいずれか一に記載のリモート試験方法。
【発明の詳細な説明】
【技術分野】
【０００１】
本発明は、携帯電話のリモート試験システムに関する。
【背景技術】
【０００２】
従来、携帯電話の試験は、開発部門とは別の部門である試験実施部門の者が試験端末を操作することで実施がなされている。この理由としては、携帯電話の試験は無線基地局配下にて試験を行う必要があり、各地に点在する無線基地局配下にて試験を行う場合には、開発部門と試験実施部門との役割を分担する方が、効率がよく、より専門的な作業を行うことができるからである。
【０００３】
主な試験の流れとしては、まず、開発部門が作成したプログラム等を試験実施部門の者が受け取る。試験実施部門の者はそのプログラム等を用いて各種の試験を行い、その結果を開発部門の者に通知する。開発部門の者は試験の結果不具合が生じている場合には、その修正プログラム等を作成し、修正プログラム等を再度試験実施部門の者に送る。そして、修正プログラム等を受け取った試験実施部門の者は、その修正プログラム等を用いて再度試験を行う。このようにして携帯電話の開発、試験が行われている。
【０００４】
ところで、試験実施部門の者は、通常、無線基地局配下にて試験を行うため、開発部門と試験実施部門とは離れた地域で作業を行う場合が多い。このため、試験結果の通知や修正プログラムの適用に際して多くの時間や人手を要していた。この問題を解決するために、特許文献１では、試験実施拠点側に、携帯電話の試験端末に接続する制御装置を設け、その制御装置に対して開発部門側に設置された別の制御装置からプログラムや試験データを送信することで、試験端末のプログラムを変更したり、試験データを入れ替えたりすることができ、開発部門側からリモートで試験を実施することができる旨の発明の開示がされている。
【特許文献１】特開２００４−２９９７２９３号公報
【発明の開示】
【発明が解決しようとする課題】
【０００５】
しかしながら、従来の技術における携帯電話のリモート試験では、試験実施拠点で発生する肉眼でなければ確認できないような事象を把握することができない、という課題がある。また、従来の技術における携帯電話のリモート試験は、試験が完全に終了した後に試験実施拠点の制御装置から結果を出力するに過ぎず、異常終了などが発生した場合に試験途中で試験を中断するなどの制御を行うことができない、という課題がある。
【０００６】
そこで、本発明は、かかる課題に鑑みてなされたものであり、試験を実施している試験実施拠点での肉眼で確認すべき事象を把握し、異常事象が発生した場合にも対応可能なリモート試験システムを提供することを目的とする。
【課題を解決するための手段】
【０００７】
そこで、本発明においては、かかる課題を解決するために、試験制御拠点に配置される、指示情報を送信し試験結果情報を受信する指示装置及び受信側テレビ電話と、前記試験制御拠点から離隔した試験実施拠点に配置される、前記指示装置からの指示情報に基づいて携帯通信端末の試験を実行する携帯通信端末試験装置及び試験実施拠点テレビ電話と、からなるリモート試験システムを提供する。前記試験実施拠点テレビ電話は、前記指示装置から送信される指示情報を受信し、受信した指示情報を前記携帯通信端末試験装置に転送する指示情報転送部と、携帯通信端末試験装置が表示する試験経過情報を含む試験実施拠点映像を撮影するカメラ部と、前記カメラ部にて撮影した試験実施拠点映像を受信側テレビ電話に対して送信する試験実施拠点映像送信部と、を有する。かかる構成により、試験途中における試験実施拠点の状況を映像を介して把握することができるため、肉眼で確認しなければわからない事象についても把握することができる。
【０００８】
また、前記指示装置は、指示情報として試験を中断させるための情報である試験中断指示情報を送信する試験中断指示情報送信部を有し、前記携帯通信端末試験装置は、前記試験中断指示情報を受信する試験中断指示情報受信部と、試験中断指示情報受信部にて受信した試験中断指示情報に基づいて試験を中断するための処理を実行する試験中断実行部と、
試験を中断するための処理を実行した後に、自身の状態をスタインバイ状態に遷移するスタンバイ状態遷移部と、を有してもよい。かかる構成により、試験の途中であっても、その試験を中断することができるため、無駄な試験を行わずに済む。また、前記指示装置は、指示情報として試験実施拠点の位置情報を含む試験状況に関する情報である試験状況情報の要求指示をする試験状況情報要求指示情報を送信する試験状況情報要求指示情報送信部と、試験状況情報を受信する試験状況情報受信部と、を有し、前記携帯通信端末試験装置は、試験状況情報要求指示情報を受信する試験状況情報要求指示情報受信部と、試験状況情報を取得する試験状況情報取得部と、受信した試験状況情報要求指示情報に基づいて取得した試験状況情報を送信する試験状況情報送信部と、を有してもよい。また、前記携帯通信端末試験装置は、実行した試験の結果に関する情報である試験結果情報を保持する試験結果情報保持部と、前記試験結果情報保持部にて保持される試験結果情報を指示装置に対して定期的に送信する試験結果情報送信部と、を有し、前記試験実施拠点テレビ電話は、前記試験結果情報送信部から送信される試験結果情報を指示装置に対して転送する試験結果情報転送部を有してもよい。かかる構成により、遠隔地などで行われている試験の結果を、試験制御拠点側にて受け取ることが可能となり、早期に不具合などの解決作業に取り掛かることができる。また、前記携帯通信端末試験装置は、指示情報に基づいて自身の状態を試験実行状態に遷移する試験実行状態遷移部と、実行する試験の異常を検知する異常検知部と、前記異常検知部にて異常を検知した場合に、自身の状態を試験実行状態からスタイバイ状態に遷移する異常検知スタンバイ状態遷移部と、を有してもよい。かかる構成により、携帯通信端末試験装置にて自動的にスタンバイ状態に遷移することができるため、無駄な試験を実行しなくて済むとともに、不測の動作による携帯通信端末の故障を防ぐことができる。また、他の発明として、これらのリモート試験システムにて試験を実施することで、その機能を検証した携帯通信端末を提供する。
【発明の効果】
【０００９】
本発明は、試験制御拠点に配置される指示装置から、離隔した試験実施拠点に配置される携帯通信端末試験装置に対して指示情報が送られるために、遠隔で試験の指示、制御等を行うことができる。また、試験実施拠点に配置された試験実施拠点テレビ電話から試験実施拠点の映像が試験制御拠点に配置される受信側テレビ電話に送られることにより、肉眼で確認しなければわからない事象についても把握することが可能となる。さらには、試験を途中で中断させることが可能となるため、試験の実施効率の向上が期待できる。また、既存のテレビ電話などを利用することで、簡易かつ低コストで試験実施拠点を設けることができる。
【発明を実施するための最良の形態】
【００１０】
以下に、各発明の実施の形態を説明する。なお、本発明はこれら実施の形態に何ら限定されるものではなく、その要旨を逸脱しない範囲において、種々なる態様で実施しうる。
【００１１】
なお、以下の実施形態と請求項の関係は次の通りである。実施形態１は、主に請求項１、６、７などについて説明する。実施形態２は、主に請求項２、８などについて説明する。実施形態３は、主に請求項３、９などについて説明する。実施形態４は、主に請求項４、１０などについて説明する。実施形態５は、主に請求項５、１１などについて説明する。
【００１２】
<<実施形態１>>
<実施形態１の概要>
本実施形態は、携帯電話の試験を実施する試験実施拠点から離隔した試験制御拠点に配置される指示装置を利用して、試験を遠隔操作にて実行することが可能なリモート試験システムに関するものである。図１は、本実施形態の概念の一例を示す図である。試験制御拠点の指示装置から試験実施拠点の携帯通信端末試験装置に対して、試験に関する各種の指示がなされる。その指示を受けた携帯通信端末試験装置は、その指示に基づいて、試験ＰＣを通じて接続している携帯通信端末とデータの送受信などを行う。また、試験実施拠点と試験制御拠点には、それぞれテレビ電話が配置されており、そのテレビ電話を通じて試験実施拠点の動向を、試験制御拠点側から把握することが可能となる。このため、試験実施拠点における肉眼でなければ確認することができない事象についても遠隔で把握することができる。
【００１３】
<実施形態１の構成>
図２は、本実施形態におけるリモート試験システムの一例を示す機能ブロック図である。図２で示す本実施形態の「リモート試験システム」（０２００）は、「指示装置」（０２１０）と、「受信側テレビ電話」（０２２０）と、「携帯通信端末試験装置」（０２３０）と、「試験実施拠点テレビ電話」（０２４０）と、からなる。試験実施拠点テレビ電話（０２４０）は、「指示情報転送部」（０２４１）と、「カメラ部」（０２４２）と、「試験実施拠点映像送信部」（０２４３）と、を有する。
【００１４】
本件発明の構成要素である各部は、ハードウエア、ソフトウエア、ハードウエアとソフトウエアの両者、のいずれかによって構成される。例えば、これらを実現する一例として、コンピュータを利用する場合には、ＣＰＵ、メモリ、バス、インターフェイス、周辺装置などから構成されるハードウエアと、これらのハードウエア上にて実行可能なソフトウエアを挙げることができる。具体的には、メモリ上に展開されたプログラムを順次実行することで、メモリ上のデータや、インターフェイスを介して入力されるデータの加工、蓄積、出力などにより各部の機能が実現される（本明細書の全体を通じて同様である）。
【００１５】
最初に試験制御拠点側の構成について説明する。試験制御拠点には「指示装置」（０２１０）と、「受信側テレビ電話」（０２２０）が配置される。「試験制御拠点」とは、試験を遠隔で制御する拠点のことであり、実際に試験を実施する試験実施拠点から離隔した場所に設置された拠点のことである。試験制御拠点は、例えば開発部門と密に連絡が取れる位置にあることが望ましい。試験に用いるデータや、不具合を解消したプログラムなどを即座に試験実施拠点側に送ることで、試験効率を向上させることができるからである。「指示装置」（０２１０）は、指示情報を送信し試験結果情報を受信する。「指示情報」とは、試験に関する指示についての情報である。図３は、指示情報に含まれる情報の一例を示す概念図である。図３に示すように、指示情報には、携帯通信端末のプログラムとして使用する使用プログラムや、その使用プログラムを保持している携帯通信端末試験装置内における所在場所についての情報が含まれる。なお、指示情報に、使用プログラムそのものが含まれていてもよい。その他、指示情報には、試験対象携帯通信端末を識別する情報が含まれる。これは、試験実施拠点において、複数の携帯通信端末を利用して試験する場合に、どの携帯通信端末に対しての指示であるかを明確にするためである。また、指示情報には、試験の実施内容に関する情報が含まれている。例えば、発着呼試験の別や、試験に使用する試験データや、試験環境等に関する情報が挙げられる。さらには、試験の結果を指示装置に対して通知させるための試験結果通知命令などが含まれる。図４は、指示情報をＸＭＬ形式で送信する場合の一例を示す図である。図４においては試験識別番号をキーとして、必要な情報が各タグに埋め込まれている。このような指示情報は、指示装置（０２１０）から後述する試験実施拠点側の携帯通信端末試験装置（０２３０）に対して送信される。なお、指示情報が携帯通信端末試験装置に対して送信される際には、試験実施拠点テレビ電話（０２４０）を介してして送られることになる。詳細については後述する。「試験結果情報」は、試験実施拠点にて実施した試験の結果に関する情報のことである。試験結果情報は、後述する携帯通信端末試験装置（０２３０）から送信される情報であり、指示情報と同様に試験実施拠点テレビ電話を介して指示装置に送信される。図５は、試験結果情報をＸＭＬ形式で表した一例を示す図である。図５においては、試験識別番号をキーとして、その試験に用いた試験ログなどの格納場所がタグに埋め込まれている。
【００１６】
「受信側テレビ電話」（０２２０）は、試験制御拠点に配置されるテレビ電話である。受信側テレビ電話（０２２０）は、後述する試験実施拠点テレビ電話（０２４０）と通信を行い、試験実施拠点の映像を表示することができる。このため、試験実施拠点の映像を試験制御拠点側で確認することができる。受信側テレビの一例としては、テレビ電話機能付きの携帯電話が挙げられるが、その他テレビ電話機能を有するＩＰ電話であってもよい。また、受信側テレビ電話は、例えばデータ通信機能を有していてもよく、指示装置が試験実施拠点に配置された携帯通信端末試験装置に対して指示情報を送信する際には、受信側テレビ電話を介して指示情報を送信してもよい。
【００１７】
次に、試験実施拠点側の構成について説明する。試験制御拠点から離隔した試験実施拠点には、「携帯通信端末試験装置」（０２３０）と、「試験実施拠点テレビ電話」（０２４０）と、が配置される。「試験実施拠点」は、実際に携帯通信端末の試験を実行する拠点である。「試験制御拠点から離隔した」とは、試験制御拠点とは物理的に離れた場所に試験実施拠点があることを意味している。具体的には、試験対象となる試験実施拠点の無線基地局範囲内に試験制御拠点が含まれない位置関係にあることが挙げられる。「携帯通信端末試験装置」（０２３０）は、前記指示装置（０２１０）からの指示情報に基づいて携帯通信端末の試験を実行する。「携帯通信端末」とは、試験の対象となる携帯通信端末のことである。携帯通信端末試験装置と携帯通信端末とは直接制御線で接続されていてもよいし、試験実施拠点に複数の携帯通信端末がある場合には、間に試験用のＰＣを配置してもよい。指示情報に基づいて携帯通信端末の試験を行う一例としては、携帯通信端末試験装置は、指示情報に含まれる所定のプログラムファイルを携帯通信端末にダウンロードして、指示情報にて指示された試験を携帯通信端末に実行させることが挙げられる。あるいは、事前に指示装置から指示情報として試験データやプログラムを受信して保持しておき、その後、受信した別の指示情報に基づいて、携帯通信端末に対してプログラムをインストールさせたり、試験データを用いて携帯通信端末の性能試験や機能試験などを行わせたりしてもよい。このように、携帯通信端末試験装置が指示情報に基づいて携帯通信端末の試験を行うことが可能であるため、試験実施拠点から離隔した試験制御拠点から遠隔で携帯電話の試験を実施することが可能となる。また、指示情報に各種の修正プログラム等を含ませることにより、不具合の修正確認試験をも遠隔で実施することができる。このため、試験効率を向上させることが可能となる。
【００１８】
携帯通信端末試験装置が指示情報を受信して試験を実行する具体例を説明する。携帯通信端末装置は、例えば所定の管理プログラムをメモリに有しており、ＣＰＵがそのプログラムを解釈して実行させることで、管理プログラムを常駐させている。ここで、携帯通信端末試験装置が指示情報を受信した場合には、ＣＰＵがメモリ領域に格納されている各種のプログラムを起動させて、その指示情報に基づく処理を実行することになる。一例としては、所定のメモリ領域に格納されている指示情報解釈プログラムを起動させる。そして、指示情報解釈プログラムは受信した指示情報を判別して、プログラムのインストール命令や、試験開始命令など必要な命令を携帯通信端末に対して出力する。そして、これらの命令を受けた携帯通信端末は、同様に、各種プログラムを解釈したＣＰＵによって、発呼やデータ送信などの処理を実行する。
【００１９】
次に、「試験実施拠点テレビ電話」（０２４０）についての各構成を説明する。「指示情報転送部」（０２４１）は、前記指示装置（０２１０）から送信される指示情報を受信し、受信した指示情報を前記携帯通信端末試験装置（０２３０）に転送する。「転送」とは、受信した指示情報をそのまま携帯通信端末試験装置に対して送信してもよいし、あるいは、試験実施拠点テレビ電話にて指示情報を受信して、その内容を自身のメモリなどに記憶しつつ、携帯通信端末試験装置に送信してもよいことを意味する。試験実施拠点テレビ電話（０２４０）は、データ通信機器として利用することが可能であり、携帯通信端末試験装置（０２３０）が指示装置（０２１０）と情報をやり取りする際に用いられる。よって、データ通信機器として試験実施拠点テレビ電話を利用する場合には、受信した指示情報をそのまま携帯通信端末試験装置（０２３０）に対して転送を行うことになる。これに対し、試験実施拠点テレビ電話は、後述するように試験実施拠点の映像を試験制御拠点側に送信するための装置でもある。このため、例えば指示装置から試験実施拠点テレビ電話に対してカメラの角度などの操作指示が送られる場合もあり得る。かかる指示がなされる場合には、指示情報に試験実施拠点テレビ電話自身に関する情報が含まれるため、指示情報を受信してその内容をメモリなどに一時的に記録する必要がある。なお、これらの区別については指示情報の所定のヘッダ情報などを基に、指示情報をそのまま転送するか、一時的に記録してから転送するかを決定することもできる。
【００２０】
「カメラ部」（０２４２）は、携帯通信端末試験装置（０２３０）が表示する試験経過情報を含む試験実施拠点映像を撮影する。「携帯通信端末試験装置が表示する試験経過情報」とは、例えば現在実行している試験のログ情報が挙げられる。携帯通信端末試験装置には制御線を介して携帯通信端末から情報が送られてくるため、試験経過情報としてのログ情報を表示画面などに表示することができる。このログ情報は、試験を実施中の複数の携帯通信端末に関するログ情報であってもよい。「試験実施拠点映像」とは、試験経過情報を含む映像である。即ち、携帯通信端末試験装置の表示画面に現れたログ情報の映像であってもよいし、あるいは、試験実施拠点全般に関する映像であってもよい。図４は、試験実施拠点映像の一例を示す概念図である。図４において、点線で示す部分は、試験ＰＣ（０４０２）と携帯通信端末（０４０３）との間の制御線が物理的に外れてしまっている状態を示している。このため、携帯通信端末試験装置（０４０１）のディスプレイ上には、エラーメッセージが表示されている。従来は、携帯端末通信装置の試験ログなどを試験制御拠点側で解析して、そのエラーは制御線が外れていることに起因するエラーであると判断できた場合であっても、試験をリモートで実施しているために、実際にそのケーブルが外れているか否かを試験制御拠点にて確認することができなかった。このため、せっかく遠隔で試験を実施可能にしてもかかる確認作業のために人員を要してしまい効率的ではなかった。本実施形態では、図４で示す試験実施拠点映像の例のように、カメラ部によって試験実施拠点の様子を映像として試験制御拠点に送ることができるため、肉眼でなければ確認できない事象についても遠隔から把握することが可能となる。なお、カメラ部は、指示装置や受信側テレビ電話からの操作によってその撮影方向や焦点を変更可能であってもよい。また、カメラ部が撮影する試験拠点映像には、携帯通信端末の操作画面が写されていてもよい。
【００２１】
図２に戻り説明を続ける。「試験実施拠点映像送信部」（０２４３）は、前記カメラ部（０２４２）にて撮影した試験実施拠点映像を受信側テレビ電話（０２２０）に対して送信する。このように、肉眼でなければ確認できないような試験実施拠点の映像を、試験制御拠点の受信側テレビ電話に送信することで、試験制御拠点において遠隔で試験実施拠点の様子を把握することができる。このためエラー要因をさらに特定することが可能になり、また、途中で試験に異常が発生しているか否かについても映像を介して確認することができる。
【００２２】
また、本実施形態のリモート試験装置は、図７で示すように、試験実施拠点テレビ電話からインターネット回線などを通じて試験結果情報が指示装置に送信されるルートと、携帯通信網などを通じて試験実施拠点映像が受信側テレビ電話に送信されるルートの２つのルートがあり、二重構造になっている。このため、いずれか一系統にて障害などが発生した場合であっても、他の系統にて試験の状況を確認することができるため、安定性を高めることができる。なお、試験結果情報はパケット交換網を通じて情報のやり取りを行い、試験拠点映像は回線交換網を通じて情報のやり取りを行うため、両者を同時に通信して情報のやり取りを行うことも可能である。
【００２３】
なお、かかるリモート試験を実施することで、その機能を検証した携帯通信端末は、内部的な処理等の試験に加えて、操作時における実際の画面表示などについても映像で確認作業を実行した携帯通信端末であるため、より不具合を解消させた状態でユーザに提供することができる。また、例えば実際に携帯端末へ接続する基地局が運用される試験拠点と、開発をおこなう試験制御拠点が異なった国の場合、従来であれば試験拠点へ端末を持ち込むための諸手続きが煩雑であるために開発工数が大きくなっていた問題を、開発コストが最小となる国、地域を選択して開発することで解決することが可能となる。
【００２４】
<実施形態１の処理の流れ>
図８は、本実施形態におけるリモート試験システムにおけるシーケンスの一例を示す図である。まず、試験実施拠点テレビ電話が受信側テレビ電話に対して試験実施拠点映像を送信する（Ｓ０８０１）。以降においては、試験実施拠点映像が受信側テレビ電話において閲覧可能となる。指示装置は、指示情報を携帯通信端末試験装置に対して送信する（Ｓ０８０２）。試験実施拠点テレビ電話は、ステップＳ０８０２にて送信された指示情報を受信し、それを携帯通信端末試験装置に対して転送する（Ｓ０８０３）。かかる指示情報に基づいて携帯通信端末の試験が実施されることになる。次に、図９を用いて本実施形態における試験実施拠点テレビ電話の処理の流れを説明する。図９は、試験実施拠点テレビ電話の処理の流れの一例を示す図である。まず、携帯通信端末試験装置が表示する試験経過情報を含む試験実施拠点映像を撮影する（Ｓ０９０１）。次に、ステップＳ０９０１にて撮影した試験実施拠点映像を受信側テレビ電話に対して送信する（Ｓ０９０２）。これらの処理は試験が終了するまで継続して行われる。次に、指示情報を受信したかを判断する（Ｓ０９０３）。ステップＳ０９０３にて指示情報を受信した場合には、受信した指示情報を携帯通信端末試験装置に転送する（Ｓ０９０４）。ステップＳ０９０３にて指示情報を受信していないと判断した場合には、そのまま指示情報を受信するまで待機する。
【００２５】
<実施形態１の効果>
本実施形態は、試験制御拠点に配置された指示装置から、離隔した試験実施拠点に配置された携帯通信端末試験装置に対して指示情報が送られるため、遠隔で試験を実施することができる。さらに、各拠点にテレビ電話を配置することで、肉眼でなければ確認することができない事象についても試験制御拠点側にて把握することが可能となるため、試験の原因をより詳細に特定することが可能となる。また、試験途中の状態を常に映像を介して把握することができるため、異常事象が発生した場合であっても、その状態を試験制御拠点側にて把握することができる。さらには、既存のテレビ電話などを利用することで、簡易かつ低コストで試験実施拠点を設けることができる。
【００２６】
<<実施形態２>>
<実施形態２の概要>
本実施形態におけるリモート試験システムは、試験制御拠点の指示装置からの指示によって、試験実施拠点における携帯通信端末の試験を中断することが可能であることを特徴とする。異常状態などに陥った場合には、試験を中断することで無駄な試験時間を回避することができるため、試験の実施効率が向上する。
【００２７】
<実施形態２の構成>
図１０は、本実施形態におけるリモート試験システムの一例を示す機能ブロック図である。図１０で示す本実施形態の「リモート試験システム」（１０００）は、「指示装置」（１０１０）と、「受信側テレビ電話」（１０２０）と、「携帯通信端末試験装置」（１０３０）と、「試験実施拠点テレビ電話」（１０４０）と、からなる。指示装置（１０１０）は、「試験中断指示情報送信部」（１０１１）を有する。携帯通信端末試験装置（１０３０）は、「試験中断指示情報受信部」（１０３１）と、「試験中断実行部」（１０３２）と、「スタンバイ状態遷移部」（１０３３）と、を有する。試験実施拠点テレビ電話（１０４０）は、「指示情報転送部」（１０４１）と、「カメラ部」（１０４２）と、「試験実施拠点映像送信部」（１０４３）と、を有する。
【００２８】
本実施形態は、実施形態１で説明した指示装置がさらに「試験中断指示情報送信部」（１０１１）を有し、また、携帯通信端末試験装置（１０３０）がさらに「試験中断指示情報受信部」（１０３１）と、「試験中断実行部」（１０３２）と、「スタンバイ状態遷移部」（１０３３）と、を有することを特徴とするものである。「試験中断指示情報送信部」（１０１１）と、「試験中断指示情報受信部」（１０３１）と、「試験中断実行部」（１０３２）と、「スタンバイ状態遷移部」（１０３３）と、を除く各構成については実施形態１で説明したものと同様であるため、ここでの説明は省略する。
【００２９】
「試験中断指示情報送信部」（１０１１）は、指示情報として試験を中断させるための情報である試験中断指示情報を送信する。試験制御拠点に配置される受信側テレビ電話を利用することで、試験実施拠点における試験の途中経過を映像を介して逐一把握することができるため、試験が異常状態などに陥った場合には即座にその状態を試験実施拠点側にて把握することができる。そこで、異常状態に陥った場合には、試験を継続しても有効な試験を実施できないため、試験制御拠点側の指示装置（１０１０）から指示情報として試験中断指示情報を送信することで、その試験を中断することができる。
【００３０】
「試験中断指示情報受信部」（１０３１）は、前記試験中断指示情報を受信する。試験制御拠点の指示装置（１０１０）から送信された試験中断指示情報は、試験実施拠点テレビ電話を介して試験中断指示情報受信部（１０３１）にて受信される。「試験中断実行部」（１０３２）は、試験中断指示情報受信部（１０３１）にて受信した試験中断指示情報に基づいて試験を中断するための処理を実行する。「試験を中断するための処理」とは、例えば、現在行っている試験に関係するログなどの必要な試験データを収集し、その後試験を中断させるために、携帯通信端末に対して試験中断命令などを出力することが挙げられる。「スタンバイ状態遷移部」（１０３３）は、試験を中断するための処理を実行した後に、自身の状態をスタンバイ状態に遷移する。「自身の」とは携帯通信端末試験装置自身のことである。「スタンバイ状態」とは、試験を中断し、次の指示情報を受信するまで待機する状態のことである。スタンバイ状態に遷移することで、次の試験を開始する際に速やかに試験を実行することができる。また、携帯通信端末試験装置がスタンバイ状態に遷移する際に、携帯通信端末に対してスタンバイ命令を出力して、携帯通信端末試験装置と携帯通信端末の両者がスタンバイ状態に遷移してもよい。具体的に試験の中断を行う場合には、例えば受信した試験中断指示情報をトリガーにして、携帯通信端末試験装置の所定のメモリに格納されている試験中断プログラムが起動される。そして、その試験中断プログラムから試験を中断させるための試験中断命令が試験中の携帯通信端末又はこれに接続している試験ＰＣに対して出力される。この試験中断命令を受けた携帯通信端末等では、管理プログラムが割り込み処理を実行し、実行中の試験を中断するためのプログラムを起動させる。そして、試験を中断した後は次の試験指示が受けられるようにスタンバイ状態に遷移する。このように、試験実施中においても状況に応じて試験制御拠点側から遠隔で試験を中断させることが可能となるため、試験状況が異常な状態になっている場合には、一度試験を中断し正常な状態に復帰させた後に再度試験を実施することで、試験の実施効率を向上させることが可能となる。また、試験を中断した後にスタンバイ状態まで状態を遷移することで、次の試験を速やかに行うことが可能となる。
【００３１】
<実施形態２の処理の流れ>
図１１に本実施形態における全体シーケンスの一例を示す。ステップＳ１１０３までの流れについては実施形態１で説明したものと同様であるため、ここでの説明は省略する。ステップＳ１１０４においては、指示装置から試験中断指示情報が送信される。ステップＳ１１０４にて送信された試験中断指示情報は、試験実施拠点テレビ電話を介して携帯通信端末試験装置が受信する（Ｓ１１０５）。その後、携帯通信端末試験装置は、試験を中断する（Ｓ１１０６）。そして、試験を中断後にスタンバイ状態に遷移する（Ｓ１１０７）。図１２は、携帯通信端末試験装置における処理の流れの一例を示す図である。まず、指示情報を受信したかを判断する（Ｓ１２０１）。ステップＳ１２０１にて指示情報を受信していないと判断した場合には、指示情報を受信するまで待機する。一方、ステップＳ１２０１にて指示情報を受信したと判断した場合には、試験を実施するための処理を実行する（Ｓ１２０２）。次に、試験中断指示情報を受信したかを判断する（Ｓ１２０３）。ステップＳ１２０３にて試験中断指示情報を受信したと判断した場合には、試験を中断するための処理を実行する（Ｓ１２０４）。その後、自身の状態をスタンバイ状態に遷移する（Ｓ１２０５）。かかる処理を試験が終了するまで繰り返す（Ｓ１２０６）。
【００３２】
<実施形態２の効果>
本実施形態におけるリモート試験システムは、試験制御拠点に配置された指示装置から試験実施拠点の携帯通信端末試験装置に対して、試験中断指示情報を送信し、これに基づいて試験を中断することを可能にしたことにより、試験が異常状態に陥っている場合に無駄な試験を行わずに済む。このため、試験の実施効率を向上させることができる。
【００３３】
<<実施形態３>>
<実施形態３の概要>
本実施形態におけるリモート試験システムは、試験制御拠点の指示装置から試験実施拠点の携帯通信端末試験装置に対して試験の途中経過についての情報や、試験の実施位置についての情報を要求して、その情報を指示装置にて受信することが可能としたことを特徴とするものである。試験の途中経過の情報を受信することで、どの程度試験が進んでいるかを把握でき、また、試験の実施位置についての情報を受信することで、適切な試験が行われているかを試験制御拠点側にて把握することが可能となる。
【００３４】
<実施形態３の構成>
図１３は、本実施形態におけるリモート試験システムの一例を示す機能ブロック図である。図１３で示す本実施形態の「リモート試験システム」（１３００）は、「指示装置」（１３１０）と、「受信側テレビ電話」（１３２０）と、「携帯通信端末試験装置」（１３３０）と、「試験実施拠点テレビ電話」（１３４０）と、からなる。指示装置（１３１０）は、「試験状況情報要求指示情報送信部」（１３１１）と、「試験状況情報受信部」（１３１２）と、を有する。携帯通信端末試験装置（１３３０）は、「試験状況情報要求指示情報受信部」（１３３１）と、「試験状況情報取得部」（１３３２）と、「試験状況情報送信部」（１３３３）と、を有する。試験実施拠点テレビ電話（１３４０）は、「指示情報転送部」（１３４１）と、「カメラ部」（１３４２）と、「試験実施拠点映像送信部」（１３４３）と、を有する。
【００３５】
本実施形態は、実施形態１又は２で説明したリモート試験システムにおいて、指示装置がさらに「試験状況情報要求指示情報送信部」（１３１１）と、「試験状況情報受信部」（１３１２）と、を有し、携帯通信端末試験装置がさらに「試験状況情報要求指示情報受信部」（１３３１）と、「試験状況情報取得部」（１３３２）と、「試験状況情報送信部」（１３３３）と、を有することを特徴とするものである。「試験状況情報要求指示情報送信部」（１３１１）と、「試験状況情報受信部」（１３１２）と、「試験状況情報要求指示情報受信部」（１３３１）と、「試験状況情報取得部」（１３３２）と、「試験状況情報送信部」（１３３３）と、を除く各構成については実施形態１又は２で説明したものと同様であるため、ここでの説明は省略する。
【００３６】
「試験状況情報要求指示情報送信部」（１３１１）は、指示情報として試験実施拠点の位置情報を含む試験状況に関する情報である試験状況情報の要求指示をする試験状況情報要求指示情報を送信する。「試験実施拠点の位置情報」とは、具体的には試験を実施している携帯通信端末がどの無線基地局の配下に位置しているかという情報である。試験実施拠点の位置情報は必ずしも一つとは限らない。例えば、携帯通信端末にて複数の基地局の電波を受信している場合にはその複数の基地局の配下に位置しているとの情報であってもよい。「試験状況」とは、試験の進捗状況や、試験の環境に関する状況などのことである。試験状況情報の要求指示の要求先は、携帯通信端末試験装置である。この試験状況情報の要求指示である試験状況情報要求指示情報は、例えば試験実施拠点テレビ電話を経由して指示情報として携帯通信端末試験装置に対して送られる。
【００３７】
「試験状況情報受信部」（１３１２）は、前記試験状況情報を受信する。「前記試験状況情報」とは、試験状況情報要求指示情報に応じて携帯通信端末装置から送られる試験状況情報のことである。図１４は、試験状況情報の一例を示す図である。図１４は、ＸＭＬ形式によって試験状況情報が構成されている例である。図１４で示すように、試験実施位置の情報としては「東京千代田区局」の無線基地局の配下にて試験を実施している旨の情報が記載されており、また、試験の進捗情報に関しては、全工程１０工程のうち、５工程を完了している旨の情報が記載されている。なお、その他試験状況情報には、時刻情報や、無線のＳ／Ｎ比に関する情報や、温度湿度等に関する情報などの試験に関連する情報が各種含まれていてもよい。
【００３８】
次に、携帯通信端末試験装置の構成について説明する。「試験状況情報要求指示情報受信部」（１３３１）は、前記試験状況情報要求指示情報を受信する。「前記試験状況情報要求指示情報」とは、指示装置から指示情報として送信される試験状況情報要求指示情報のことである。この試験状況情報要求指示情報は、既に説明したとおり試験実施拠点テレビ電話を介して転送されてもよい。
【００３９】
「試験状況情報取得部」（１３３２）は、試験状況情報を取得する。試験状況情報は、例えば、試験状況情報要求指示情報を受信したことをトリガーとして、現在の試験の進捗情報を携帯通信端末試験装置自身から取得したり、あるいは、携帯通信端末がどの無線基地局配下に位置しているかについての問い合わせを携帯通信端末に対して行うなどして、試験状況情報を取得したりする。「試験状況情報送信部」（１３３３）は、前記受信した試験状況情報要求指示情報に基づいて取得した試験状況情報を送信する。試験状況情報の送信先は、試験要求指示情報の送り元である指示装置である。なお、試験状況情報は、試験実施拠点テレビ電話を介して指示装置に対して送信してもよい。
【００４０】
<実施形態３の処理の流れ>
図１５は、本実施形態における全体シーケンスの一例を示す図である。ステップＳ１５０１は、実施形態１で説明したものと同様である。ステップＳ１５０２では、指示装置が試験実施拠点テレビ電話に対して指示情報として、試験状況情報要求指示情報を送信する。ステップＳ１５０３では、試験実施拠点テレビ電話から携帯通信端末試験装置に対して、その試験状況情報要求指示情報である指示情報を転送する。次に、携帯通信端末試験装置にて試験状況情報の取得を行う（Ｓ１５０４）。そして、携帯通信端末試験装置が試験拠点テレビ電話に対して試験状況情報を送信する（Ｓ１５０５）。試験実施拠点テレビ電話は、送信された試験状況情報を指示装置に対して転送する（Ｓ１５０６）。なお、図１５では、試験状況情報が試験実施拠点テレビ電話を介して指示装置に送信されるものとして説明を行ったが、試験実施拠点テレビ電話を介さずに指示装置に対して送信されてもよい。
【００４１】
<実施形態３の効果>
本実施形態におけるリモート試験システムは、試験実施拠点の位置情報を含む試験状況に関する情報である試験状況情報を指示装置から要求し、それに対して携帯通信端末試験装置からその試験状況情報が送られることにより、現在の試験の進捗を試験制御拠点側から知ることができる。また、試験が行われている場所についても試験制御拠点側にて把握することが可能となるため、適切な試験が実施されているか否かを適宜把握することができる。
【００４２】
<<実施形態４>>
<実施形態４の概要>
本実施形態におけるリモート試験システムは、実行した試験の結果を、携帯通信端末試験装置から指示装置に対して定期的に送信することが可能であることを特徴とするものである。試験の結果を定期的に送信することで、試験の実施状況を試験制御拠点側にて把握することができる。このため、解析作業などの効率を向上させることが可能となる。
【００４３】
<実施形態４の構成>
図１６は、本実施形態におけるリモート試験システムの一例を示す機能ブロック図である。図１６で示す本実施形態の「リモート試験システム」（１６００）は、「指示装置」（１６１０）と、「受信側テレビ電話」（１６２０）と、「携帯通信端末試験装置」（１６３０）と、「試験実施拠点テレビ電話」（１６４０）と、からなる。携帯通信端末試験装置（１６３０）は、「試験結果情報保持部」（１６３１）と、「試験結果情報送信部」（１６３２）と、を有する。試験実施拠点テレビ電話（１６４０）は、「指示情報転送部」（１６４１）と、「カメラ部」（１６４２）と、「試験実施拠点映像送信部」（１６４３）と、「試験結果情報転送部」（１６４４）と、を有する。
【００４４】
本実施形態は、実施形態１から３のいずれかで説明した携帯通信端末試験装置が、さらに「試験結果情報保持部」（１６３１）と、「試験結果情報送信部」（１６３２）と、を有し、また、試験実施拠点テレビ電話が、さらに「試験結果情報転送部」（１６４４）を有することを特徴とするものである。「試験結果情報保持部」（１６３１）と、「試験結果情報送信部」（１６３２）と、「試験結果情報転送部」（１６４４）と、を除く各構成については実施形態１から３のいずれかで説明したものと同様であるため、ここでの説明は省略する。
【００４５】
「試験結果情報保持部」（１６３１）は、実行した試験の結果に関する情報である試験結果情報を保持する。「実行した試験の結果」とは、必ずしも全ての試験の結果である必要はない。例えば、３つのプロセスを実行する試験を行う場合には、その３つのプロセス全てが完了していなくとも、１のプロセスが完了した時点を、試験の結果としてもよい。なお、携帯通信端末試験装置が、複数の携帯通信端末の試験を実行している場合には、各携帯通信端末の識別情報と関連付けて試験結果情報を保持してもよい。「試験結果情報送信部」（１６３２）は、前記試験結果情報保持部（１６３１）にて保持される試験結果情報を指示装置（１６１０）に対して定期的に送信する。「定期的に送信」とは、例えば所定の時間に応じてその試験結果情報を送信する場合もあれば、試験の区切りに応じて試験結果情報を送信する場合もある。指示装置に対して試験結果情報が定期的に送信されるため、試験制御拠点側では、試験の途中経過を逐一把握することができる。また、試験制御拠点側では、試験実施拠点の映像についても把握しているため、試験結果情報と、試験実施拠点映像とを併せて確認することができる。これにより、試験に異常が発生した場合などにおいては、異常に至るまでの過程を試験制御拠点側にて詳細に把握できるため、その後の解析、分析等を迅速かつ的確に実施することができる。「試験結果情報転送部」（１６４４）は、前記試験結果情報送信部（１６３２）から送信される試験結果情報を指示装置（１６１０）に対して転送する。「転送」とは既に説明したように、そのまま試験結果情報を指示装置に対して送信してもよく、また、試験結果情報を自身が参照しその後指示装置に対して送信してもよい。後者の試験結果情報を試験実施拠点テレビ自身が参照する場合としては、例えば、試験結果情報に含まれる携帯通信端末の識別情報を取得して、その携帯通信端末に向けてカメラ部の移動制御を行う場合が挙げられる。このようにして、試験結果情報は、試験実施拠点に配置された携帯通信端末試験装置から試験制御拠点に配置された指示装置へと送信される。
【００４６】
<実施形態４の処理の流れ>
図１７に、本実施形態における全体シーケンスの一例を示す。ステップＳ１７０３までの処理の流れについては実施形態１から３のいずれかで説明したものと同様であるため、ここでの説明は省略する。携帯通信端末装置は、試験結果情報を記録媒体などに書き込み保持する（Ｓ１７０４）。そして、試験結果情報を指示装置に対して定期的に送信する（Ｓ１７０５）。携帯通信端末試験装置から送信される試験結果情報は、試験実施拠点側テレビ電話にて、一度受信され、試験実施拠点側テレビ電話から指示装置に対して転送される（Ｓ１７０６）。
【００４７】
<実施形態４の効果>
本実施形態におけるリモート試験システムは、試験実施拠点に配置された携帯通信端末試験装置から試験制御拠点の指示装置に対して、定期的に試験結果情報が送信されるため、遠隔で行っている試験の途中経過の情報などを試験制御拠点側にて逐一把握することができる。このため、異常状態が発生した場合であっても、試験結果情報を利用することによって異常に至るまでの過程を詳細に把握することができるため、より詳細な解析作業などを実行することできる。
【００４８】
<<実施形態５>>
<実施形態５の概要>
本実施形態におけるリモート試験システムは、携帯通信端末試験装置が、実行している試験の異常を検知した場合には、実行している試験を中止して、自動的にスタンバイモードに遷移することを可能にしたことを特徴とするものである。携帯通信端末試験装置が自ら異常を検知してスタンバイモードに遷移することで、異常状態での試験の実行を防ぐことができ、不測の動作による携帯通信端末の故障などを防ぐことができる。
【００４９】
<実施形態５の構成>
図１８は、本実施形態におけるリモート試験システムの一例を示す機能ブロック図である。図１８で示す本実施形態の「リモート試験システム」（１８００）は、「指示装置」（１８１０）と、「受信側テレビ電話」（１８２０）と、「携帯通信端末試験装置」（１８３０）と、「試験実施拠点テレビ電話」（１８４０）と、からなる。携帯通信端末試験装置（１８３０）は、「試験実行状態遷移部」（１８３１）と、「異常検知部」（１８３２）と、「異常検知スタンバイ状態遷移部」（１８３３）と、を有する。試験実施拠点テレビ電話（１８４０）は、「指示情報転送部」（１８４１）と、「カメラ部」（１８４２）と、「試験実施拠点映像送信部」（１８４３）と、を有する。
【００５０】
本実施形態は、実施形態１から４のいずれかで説明した携帯通信端末試験装置が、さらに「試験実行状態遷移部」（１８３１）と、「異常検知部」（１８３２）と、「スタンバイ状態遷移部」（１８３３）と、を有することを特徴とするものである。「試験実行状態遷移部」（１８３１）と、「異常検知部」（１８３２）と、「異常検知スタンバイ状態遷移部」（１８３３）と、を除く各構成については実施形態１から４のいずれかで説明したものと同様であるため、ここでの説明は省略する。
【００５１】
「試験実行状態遷移部」（１８３１）は、指示情報に基づいて自身の状態を試験実行状態に遷移する。「自身の」とは、携帯通信端末試験装置自身のことである。「状態」とは、例えば試験実行状態の他、スタインバイ状態、試験実行可能状態などの状態が挙げられる。「試験実行状態」とは、例えば携帯通信端末試験装置が携帯通信端末と情報のやり取りを行い試験を実行している最中の状態である。なお、自身の状態が試験実行状態である場合には、既に説明した試験結果情報を定期的に送信したり、試験中断指示情報を受信可能になっている。「異常検知部」（１８３２）は、実行する試験の異常を検知する。「実行する試験」とは、指示情報に基づいて携帯通信端末試験装置が携帯通信端末に対して情報のやり取りを行って実行している試験のことである。「異常を検知」する例としては、携帯通信端末から携帯通信端末試験装置に対して異常を知らせる情報が通知された場合に異常を検知してもよいし、携帯通信端末から送られる情報に、閾値外の値が入っている場合に異常を検知してもよいし、あるいは、携帯通信端末から何も信号が送られなくなった場合に異常を検知してもよい。また、例えば発呼命令を５回連続で出力しても、回線が開いたという情報が携帯通信端末から送られてこない場合などにおいても異常として検知することができる。「異常検知スタンバイ状態遷移部」（１８３３）は、前記異常検知部（１８３２）にて異常を検知した場合に、自身の状態を試験実行状態からスタイバイ状態に遷移する。「自身の状態」とは、携帯通信端末試験装置（１８３０）自身の状態のことである。「スタンバイ状態」とは、既に説明したとおり試験を中断し、次の指示情報を受信するまで待機する状態のことである。既に説明した試験制御拠点側からの試験中断指示情報ではなく、携帯通信端末試験装置自身が異常を検知して、試験を中断することが可能であるため、異常状態での試験の実行を迅速に回避することができる。このため、不測の動作による携帯通信端末等の故障を防止することができる。
【００５２】
次に、異常を検知してスタンバイ状態に遷移する例をハードウエアを利用した例を基に説明する。携帯通信端末試験装置は、所定のメモリの記憶領域に自身の状態を示す状態フラグを格納しており、指示情報を受信した場合には、その記憶領域に記憶されている状態フラグを、試験実行状態に書き換える。この状態フラグを格納している記憶領域は、他のプログラムなどから常に参照される。例えば、試験結果情報を定期的に送信するプログラムは、その起動時に状態フラグを格納している記憶領域を参照し、フラグが試験実行状態を示していればプログラムを正常に起動し、フラグが試験実行状態を示していない場合には、その起動を中止する。一方、試験を実行している最中に監視プログラムが異常を検知し、管理プログラムに対して割り込み通知をした場合には、携帯通信端末試験装置の管理プログラムは、格納されている状態フラグを試験実行状態からスタンバイ状態に書き換える。そして、状態フラグが書き換わったことにより、携帯通信端末と試験を実行しているプログラムなどに対して試験を中断させる命令がＣＰＵから出力される。各プログラムは、試験の中断命令をトリガーに、実行している試験の中断処理を実行する。なお、再度指示情報を受信した場合には、状態フラグを試験実行状態に書き換える。
【００５３】
<実施形態５の処理の流れ>
図１９に本実施形態のおける処理の流れの一例を示す。図１９は、携帯通信端末試験装置における処理の流れの一例を示す図である。ステップＳ１９０２までの処理の流れについては実施形態１から４のいずれかで説明したものと同様であるため、ここでの説明は省略する。ステップＳ１９０３においては、自身の状態を試験実行状態に遷移する。次に、実行する試験の異常を検知したかを判断する（Ｓ１９０４）。ステップＳ１９０４にて異常を検知した場合には、実行している試験を中断する（Ｓ１９０５）。そして、その後自身の状態をスタンバイ状態に遷移する（Ｓ１９０６）。
【００５４】
<実施形態５の効果>
本実施形態は、携帯通信端末試験装置において、異常を検知した場合には自身の状態をスタンバイ状態に遷移することが可能となる。このため、異常を検知した場合には異常状態での試験の実行を防ぐことができ、不測の動作による携帯通信端末の故障などを防ぐことができる。
【図面の簡単な説明】
【００５５】
【図１】実施形態１を説明するための概念図
【図２】実施形態１を説明するための機能ブロック図
【図３】実施形態１の指示情報を説明するための概念図
【図４】実施形態１の指示情報の具体例を示す図
【図５】実施形態１の試験結果情報の具体例を示す図
【図６】実施形態１の試験実施拠点映像の一例を示す図
【図７】実施形態１の通信経路の概念を示す図
【図８】実施形態１を説明するためのシーケンス図
【図９】実施形態１の試験実施拠点テレビ電話の処理の流れを説明するための図
【図１０】実施形態２を説明するための機能ブロック図
【図１１】実施形態２を説明するためのシーケンス図
【図１２】実施形態２の携帯通信端末試験装置の処理の流れを説明するための図
【図１３】実施形態３を説明するための機能ブロック図
【図１４】実施形態３の試験状況情報の具体例を示す図
【図１５】実施形態３を説明するためのシーケンス図
【図１６】実施形態４を説明するための機能ブロック図
【図１７】実施形態４を説明するためのシーケンス図
【図１８】実施形態５を説明するための機能ブロック図
【図１９】実施形態５の携帯通信端末試験装置の処理の流れを説明するための図
【符号の説明】
【００５６】
０２００    リモート試験システム
０２１０    指示装置
０２２０    受信側テレビ電話
０２３０    携帯通信端末試験装置
０２４０    試験実施拠点テレビ電話
【図１】
2007104369.tif 000003
【図２】
2007104369.tif 000004
【図３】
2007104369.tif 000005
【図４】
2007104369.tif 000006
【図５】
2007104369.tif 000007
【図６】
2007104369.tif 000008
【図７】
2007104369.tif 000009
【図８】
2007104369.tif 000010
【図９】
2007104369.tif 000011
【図１０】
2007104369.tif 000012
【図１１】
2007104369.tif 000013
【図１２】
2007104369.tif 000014
【図１３】
2007104369.tif 000015
【図１４】
2007104369.tif 000016
【図１５】
2007104369.tif 000017
【図１６】
2007104369.tif 000018
【図１７】
2007104369.tif 000019
【図１８】
2007104369.tif 000020
【図１９】
2007104369.tif 000021